(57)【要約】【課題】受信品質に応じて固定向け放送と移動体向け放送とを選択可能にし、しかもこの選択を簡単な構成及び処理により実現する。【解決手段】１２セグメント放送を選択再生している状態で、その受信品質が第１のしきい値未満に低下した場合に、１セグメント放送の受信品質が第２のしきい値以上を維持し、かつサイマル放送が行われていることを条件に、１セグメント放送への切り替えが可能である旨のメッセージを表示する。そして、一定時間内に視聴者が切り替え操作を行うと、１２セグメント放送から１セグメント放送へ切り替える。また、サイマル放送が行われているか否かを判定する際に、１２セグメント番組情報及び１セグメント番組情報から番組の開始時刻、番組町及び番組名をそれぞれ抽出し、これらのすべてが一致した場合にサイマル放送が行われていると判断する。【選択図】      図１
2007096508.tif 000002
【特許請求の範囲】
【請求項１】
番組の属性を示す番組情報と番組の内容を表すメディア情報を含む第１の放送信号を受信する手段と、
番組の属性を示す番組情報と番組の内容を表すメディア情報を含む第２の放送信号を受信する手段と、
前記受信された第１の放送信号に含まれるメディア情報と、前記受信された第２の放送信号に含まれるメディア情報のうち一方を選択する選択手段と、
前記選択されたメディア情報を復号して視聴者に提示する手段と、
前記受信された第１の放送信号及び前記受信された第２の放送信号の受信品質をそれぞれ検出する手段と、
前記選択手段により一方のメディア信号が選択されている状態で、前記受信品質の検出結果をもとに、選択対象を当該選択中のメディア情報から非選択のメディア情報に切り替えることが可能か否かを判定する第１の判定手段と、
前記受信された第１の放送信号に含まれる番組情報、及び前記受信された第２の放送信号に含まれる番組情報をもとに、前記第１の放送信号と第２の放送信号により同一番組が放送されているか否かを判定する第２の判定手段と、
前記第１の判定手段により選択中のメディア情報から非選択のメディア情報への切り替えが可能と判定され、かつ前記第２の判定手段により前記第１の放送信号と第２の放送信号により同一番組が放送されていると判定された場合に、放送の選択切替が可能である旨のメッセージを視聴者に提示するメッセージ提示手段と
を具備することを特徴とするディジタル放送受信機。
【請求項２】
視聴者が放送信号の切替指示を入力するための入力手段と、
前記メッセージ提示手段によりメッセージの提示が開始されてから一定時間内に、前記入力手段により切替指示が入力された場合に、選択対象のメディア情報を前記選択中のメディア情報から非選択のメディア情報に切り替えるように前記選択手段を制御する制御手段と
を、さらに具備することを特徴とする請求項１記載のディジタル放送受信機。
【請求項３】
番組の属性を示す番組情報と番組の内容を表すメディア情報を含む第１の放送信号を受信する手段と、
番組の属性を示す番組情報と番組の内容を表すメディア情報を含む第２の放送信号を受信する手段と、
前記受信された第１の放送信号に含まれるメディア情報と、前記受信された第２の放送信号に含まれるメディア情報のうち一方を選択する選択手段と、
前記選択されたメディア情報を復号して視聴者に提示する手段と、
前記受信された第１の放送信号及び前記受信された第２の放送信号の受信品質をそれぞれ検出する手段と、
前記選択手段により一方のメディア信号が選択されている状態で、前記受信品質の検出結果をもとに、選択対象を当該選択中のメディア情報から非選択のメディア情報に切り替えることが可能か否かを判定する第１の判定手段と、
前記受信された第１の放送信号に含まれる番組情報、及び前記受信された第２の放送信号に含まれる番組情報をもとに、前記第１の放送信号と第２の放送信号により同一番組が放送されているか否かを判定する第２の判定手段と、
前記第１の判定手段により選択中のメディア情報から非選択のメディア情報への切り替えが可能と判定され、かつ前記第２の判定手段により前記第１の放送信号と第２の放送信号により同一番組が放送されていると判定された場合に、選択対象のメディア情報を前記選択中のメディア情報から非選択のメディア情報に切り替えるように前記選択手段を制御する制御手段と
を具備することを特徴とするディジタル放送受信機。
【請求項４】
前記第２の判定手段は、
前記受信された第１の放送信号に含まれる番組情報、及び前記受信された第２の放送信号に含まれる番組情報から、番組名、番組の開始時刻及び番組長を表す情報をそれぞれ抽出する手段と、
前記抽出された番組名、番組の開始時刻及び番組長を表す情報を比較してその一致の度合いを求める手段と、
前記一致の度合いが予め定めた条件を満足する場合に、前記第１の放送信号に含まれるメディア情報と前記第２の放送信号に含まれるメディア情報とは同一番組を表すものと判定する手段と
を備えることを特徴とする請求項１又は３記載のディジタル放送受信機。
【発明の詳細な説明】
【技術分野】
【０００１】
この発明は、例えば１２セグメントを用いた固定向け放送サービスと、１セグメントを用いた移動体向け放送サービスを提供する地上ディジタル放送システムで使用されるディジタル放送受信機に関する。
【背景技術】
【０００２】
地上ディジタル放送は、２００３年１２月より３大都市圏において１２セグメントを用いた固定向け放送サービスが開始され、また２００６年３月には１セグメントを用いた移動体向け放送サービスが開始される。固定向け放送サービスは、１２セグメントを使用することでアナログ放送に比べ大容量の情報データを放送することができ、これにより高品質でかつマルチアングル等の多様な情報を放送できる利点がある。これに対し移動体向け放送サービスは、固定向け放送サービスに比べ誤り耐性の強い方式を採用するため、劣悪な無線環境下においても受信できる利点がある。
【０００３】
ところで、最近地上ディジタル放送受信機をバスや自家用車等の車両に搭載することが提案されている。このような車載用途では、受信機の設置スペースも確保でき、また車載電源を使用できることから、固定向け放送サービスが受信可能である。しかし車載用途では、移動中の無線環境の劣化の影響により常に安定な受信を行うことは困難である。そこで、受信機に固定向け放送用の受信機能に加えて移動体向け放送用の受信機能を持たせ、無線環境の変化に応じて固定向け放送と移動体向け放送とを切替受信することが、従来提案されている（例えば、特許文献１又は特許文献２を参照。）。
【特許文献１】特許第３４８１１７２号公報
【特許文献２】特開２００４−１６６１７３公報
【発明の開示】
【発明が解決しようとする課題】
【０００４】
上記固定向け放送と移動体向け放送とを切り替える際には、固定向け放送と移動体向け放送が同一番組を同時放送する、いわゆるサイマル放送を行っていることが前提となる。ところが、従来の切替方法では、例えば固定向け放送により受信した映像又は音声と移動体向け放送により受信した映像又は音声とを比較し、両者が一致する場合にサイマル放送が行われていると判断して切り替えるようにしている。このため、固定向け放送の受信パケットと移動体向け放送の受信パケットをそれぞれ復号して映像又は音声を再生し、この再生された映像又は音声の相関を求める演算処理が必要となり、そのための回路構成及び処理が複雑かつ大掛かりになるという問題があった。
【０００５】
この発明は上記事情に着目してなされたもので、その目的とするところは、受信品質に応じて第１の放送と第２の放送とを選択可能にし、しかもこの選択を簡単な構成及び処理により実現したディジタル放送受信機を提供することにある。
【課題を解決するための手段】
【０００６】
上記目的を達成するために第１の発明は、第１及び第２の放送信号をそれぞれ受信し、この受信された第１放送信号に含まれるメディア情報と第２の放送信号に含まれるメディア情報のうち一方を選択して復号し視聴者に提示する機能を備えたディジタル放送受信機にあって、第１及び第２の判定手段と、メッセージ提示手段とを新たに備える。
【０００７】
そして、第１の判定手段により、受信された第１の放送信号及び第２の放送信号の受信品質をそれぞれ検出して、この受信品質の検出結果をもとに、一方のメディア信号が選択されている状態で選択対象を当該選択中のメディア情報から非選択のメディア情報に切り替えることが可能か否かを判定する。また第２の判定手段により、上記第１の放送信号に含まれる番組情報、及び第２の放送信号に含まれる番組情報をもとに、第１の放送信号と第２の放送信号により同一番組が放送されているか否かを判定する。そして、上記第１の判定手段により選択中のメディア情報から非選択のメディア情報への切り替えが可能と判定され、かつ上記第２の判定手段により第１の放送信号と第２の放送信号により同一番組が放送されていると判定された場合に、放送の選択切り替えが可能である旨のメッセージを視聴者に提示するようにしたものである。
【０００８】
したがって第１の発明によれば、例えば第１の放送信号としての固定向け放送信号のメディア情報を提示している期間に、当該固定向け放送信号の受信品質が劣化した場合に、第２の放送信号としての移動体向け放送信号の受信品質が良好で、かつ当該移動体向け放送において上記固定向け放送と同一の番組が放送されていれば、その旨のメッセージが視聴者に提示される。また、同様に移動体向け放送信号のメディア情報を提示している状態で、固定向け放送信号の受信品質が良好で、かつ当該固定向け放送において上記移動体向け放送と同一の番組が放送されていれば、その旨のメッセージが視聴者に提示される。このため視聴者は、当該メッセージにより、視聴中の放送よりも良好な品質で同一番組を視聴可能な他の放送が存在することを認識することができる。
【０００９】
しかも、上記同一番組が放送されているか否かの判定が、番組情報同士の比較により行われる。このため、例えば映像や音声等のメディア情報間の相関を検出することにより同一番組が放送されているか否かを判定する場合に比べ、復号処理や画像又は音声間の相関演算処理を行うことなく簡単な構成及び処理により判定を行うことができる。
【００１０】
また第１の発明は、手動による切替制御手段をさらに備え、上記メッセージの提示が開始されてから一定時間内に視聴者が放送信号の切替指示を入力した場合に、選択対象のメディア情報を上記選択中のメディア情報から非選択のメディア情報に切り替えるように制御することを特徴とする。このように構成すると、視聴者は自身の手操作により放送の切替を行うことができる。
【００１１】
一方第２の発明は、自動切替制御手段を備え、上記第１の判定手段により選択中のメディア情報から非選択のメディア情報への切り替えが可能と判定され、かつ上記第２の判定手段により第１の放送信号と第２の放送信号により同一番組が放送されていると判定された場合に、選択対象のメディア情報を上記選択中のメディア情報から非選択のメディア情報に切り替えるように制御するようにしたものである。
【００１２】
したがって第２の発明によれば、例えば固定向け放送信号のメディア情報を提示している期間に当該固定向け放送信号の受信品質が劣化した場合に、移動体向け放送信号の受信品質が良好で、かつ当該移動体向け放送において上記固定向け放送と同一の番組が放送されていると、上記選択中の放送のメディア情報が非選択の放送のメディア情報に自動的に切り替わる。また、同様に移動体向け放送信号のメディア情報を提示している状態で、固定向け放送信号の受信品質が良好で、かつ当該固定向け放送において上記移動体向け放送と同一の番組が放送されている場合にも、選択中の放送のメディア情報が非選択の放送のメディア情報に自動的に切り替わる。このため、視聴者は自身で切替操作を行うことなく、固定向け放送と移動体向け放送のうち受信品質が良好な放送を常に視聴することが可能となる。
【００１３】
しかも、前記第１の発明と同様に、同一番組が放送されているか否かの判定が番組情報同士の比較により行われる。このため、例えば映像や音声等のメディア情報間の相関を検出することにより同一番組が放送されているか否かを判定する場合に比べ、復号処理や画像又は音声間の相関演算処理を必要とすることなく、簡単な構成及び処理により判定を行うことができる。
【００１４】
特に、上記同一番組の放送の有無を判定する第２の判定手段において、受信された固定向け放送信号に含まれる番組情報及び移動体向け放送信号に含まれる番組情報から番組名、番組の開始時刻及び番組長を表す情報をそれぞれ抽出する。そして、この抽出された番組名、番組の開始時刻及び番組長を表す情報を比較してその一致の度合いを求め、この求められた一致の度合いが予め定めた条件を満足する場合に、固定向け放送信号に含まれるメディア情報と移動体向け放送信号に含まれるメディア情報とは同一番組を表すものと判定するとよい。  
このように構成すると、番組名、番組の開始時刻及び番組長といった、３つの特定要素をもとに同一番組の放送の有無が判定されるので、同一番組の放送の有無を常に正確に判定することができる。
【発明の効果】
【００１５】
要するにこの発明によれば、受信品質に応じて誤り耐性の異なる第１の放送と第２の放送とを選択可能にし、しかもこの選択を簡単な構成及び処理により実現できるディジタル放送受信機を提供することができる。
【発明を実施するための最良の形態】
【００１６】
図１は、この発明に係わるディジタル放送受信機の一実施形態を示す概略構成図である。この実施形態のディジタル放送受信機は、アンテナ１と、チューナ２と、ＴＳ（Transport Stream）フィルタリング部３と、バッファリング部４と、切替スイッチ部５と、メディア復号ユニット６と、ユーザインタフェースユニット７と、制御ユニット８とを備える。
【００１７】
チューナ２は、無線部２１と、ＴＳ再生部２２を有する。無線部２１は、アンテナ１により受信されたディジタル放送信号を中間周波数又はベースバンド周波数に周波数変換したのちセグメント単位で復調し、この復調された各セグメントの受信データをＴＳ復号部２２に入力する。ＴＳ再生部２２は、上記入力された各セグメントの受信データをそれぞれ復号し、さらに誤り検出及び誤り訂正復号してＴＳパケットを再生する。そして、この再生された各セグメントのＴＳパケットを多重化することにより１系列のＴＳ情報を生成し、このＴＳ情報をＴＳフィルタリング部３に供給する
なお、上記無線部２１は放送信号の受信電界強度を検出してその検出値を制御ユニット８に通知する機能を有し、さらにＴＳ再生部２２は誤り検出及び誤り訂正復号の結果をもとにビット誤り率（Bit Error Rate；ＢＥＲ）を検出して制御ユニット８に通知する機能を有する。
【００１８】
ＴＳフィルタリング部３は、上記ＴＳ再生部２２から出力された１系列のＴＳ情報から各ＴＳパケットを分離し、この分離したＴＳパケットをもとに４種類のＰＥＳ（Packetized Elementaly Stream）パケットと２種類のセクションを再生する。再生されるＰＥＳパケット及びセクションは、１２セグメント映像のパケット、１２セグメント音声のパケット、１セグメント映像のパケット、１セグメント音声のパケット、１２セグメント番組情報のパケット及び１セグメント番組情報のパケットからなる。なお、上記ＰＥＳパケットを再生する際にＴＳフィルタリング部３は、各ＴＳパケットの誤りの発生状態を検出し、この検出結果を制御ユニット８に通知する。
【００１９】
バッファリング部４は、上記６種類のＰＥＳパケットに対応するバッファ４１〜４６を備える。そして、上記ＴＳフィルタリング部３により再生された各ＰＥＳパケットを、上記バッファ４１〜４６に一時保存する。
【００２０】
切替スイッチ部５は、制御ユニット８の制御の下で切替動作し、上記バッファ４１〜４４に保存された１２セグメントの映像パケット及び音声パケットと、１セグメントの映像パケット及び音声パケットとを、択一的に選択してメディア復号ユニット６に入力する。
【００２１】
メディア復号ユニット６は、複数種のデコーダを備え、上記切替スイッチ部５を介して上記バッファ４１〜４４から取り込んだ映像パケット及び音声パケットをそれぞれ、その符号化方式に対応するデコーダにより復号して映像データ及び音声データを再生する。映像パケット用のデコーダとしては例えばMPEG-2（Moving Picture Experts Group - 2）又はH.264に対応するデコーダが用いられ、また音声パケット用のデコーダとしては例えばAAC(Advanced Audio Coding)に対応するデコーダが用いられる。
【００２２】
ユーザインタフェースユニット７は、液晶（ＬＣＤ）表示器と、スピーカと、キー入力部とを備える。ＬＣＤ表示器は、上記メディア復号ユニット６により復号再生された映像、及び制御ユニット８から出力される受信チャネル番号やメッセージ等の各種制御情報を表示するために用いられる。スピーカは、上記メディア復号ユニット６により復号再生された音声、及び制御ユニット８から出力されるアラーム音などを出力するために用いられる。キー入力部は、受信チャネルの選択キー、１２セグメント放送と１セグメント放送の選択キー、高品位と低品位の選択キー等を備える。
【００２３】
制御ユニット８はマイクロコンピュータを備え、この発明に係わる制御機能として、受信品質判定部８１と、サイマル放送判定部８２と、セグメント選択制御部８３とを備えている。  
受信品質判定部８１は、上記無線部２１及びＴＳ再生部２２によりそれぞれ検出された受信電界強度及びＢＥＲと、上記ＴＳフィルタリング部３により検出されたＴＳパケットの誤り検出結果をもとに、固定向け放送及び移動体向け放送の受信品質をそれぞれ判定する。
【００２４】
サイマル放送判定部８２は、上記バッファ４５，４６からそれぞれ１２セグメント番組情報及び１セグメント番組情報を取り込み、この取り込んだ各番組情報から番組名、番組の放送開始時刻及び放送時間を表す情報をそれぞれ抽出する。そして、この抽出した１２セグメント放送（固定向けの第１の放送）の番組名、番組の放送開始時刻及び放送時間と、１セグメント放送（移動体向けの第２の放送）の番組名、番組の放送開始時刻及び放送時間とを照合し、この照合結果により１２セグメント放送と１セグメント放送とで同一番組が同一時間帯に放送されているか否か、つまりサイマル放送が行われているか否かを判定する。
【００２５】
セグメント選択制御部８３は、上記受信品質判定部８１による受信品質の検出結果をもとに、固定向け放送が選択されている場合には当該選択中の固定向け放送を非選択の移動体向け放送に切り替えることが可能か否か、また移動体向け放送が選択されている場合には当該選択中の移動体向け放送を非選択の固定向け放送に切り替えることが可能か否かを判定する。そして、この判定の結果、選択中の放送を非選択の放送に切替可能と判定され、かつ上記サイマル放送判定部８２により１２セグメント放送と１セグメント放送とでサイマル放送が行われていると判定された場合には、その旨のメッセージを映像に重畳してＬＣＤ表示器に表示する。
【００２６】
またセグメント選択制御部８３は、上記メッセージの表示開始時点から一定時間以内にキー入力部により放送切り替え操作が行われた場合に、切替スイッチ部５を制御してメディア復号ユニット６に入力させる１２セグメント放送のＰＥＳパケットと１セグメント放送のＰＥＳパケットとを切り替える。
【００２７】
次に、以上のように構成されたディジタル放送受信機の動作を説明する。  
アンテナ１により受信された１２セグメント及び１セグメントのディジタル放送信号は、先ずチューナ２において無線部２１により中間周波数又はベースバンド周波数に周波数変換されたのちセグメント単位に復調される。続いて、この復調された各セグメントの受信データはＴＳ復号部２２によりそれぞれ復号され、さらに誤り検出及び誤り訂正復号されてＴＳパケットが再生される。そして、この再生された各セグメントのＴＳパケットは多重化されて１系列のＴＳ情報となり、ＴＳフィルタリング部３に入力される。
【００２８】
ＴＳフィルタリング部３では、次のようにＴＳパケットのフィルタリング処理が行われる。図３はその処理手順を示すフローチャートである。  
すなわち、上記チューナ２からは図２に示すように多重化されて１系列になったＴＳ情報が出力される。ＴＳフィルタリング部３は、上記出力されたＴＳ情報を先ずＴＳパケットごとに分離する。次に、図３に示すようにステップ３ａにより上記分離したＴＳパケットごとにそのヘッダの内容を解析し、ステップ３ｂ〜ステップ３ｇにより上記ＴＳパケットの種類を判別する。そして、この判別結果に応じて、ステップ３ｈ〜ステップ３ｍにおいて１２セグメント映像パケット処理、１セグメント映像パケット処理、１２セグメント音声パケット処理、１セグメント音声パケット処理、１２セグメント番組情報パケット処理、及び１セグメント番組情報パケット処理を実行する。これらのパケット処理では、分離したＴＳパケットをもとにＰＥＳパケットを再生する処理が行われる。上記パケット処理により再生されたＰＥＳパケットは、バッファリング部４のバッファ４１〜４６に一時保存される。
【００２９】
メディア復号ユニット６では、切替スイッチ部５を介して上記バッファ４１〜４４から映像パケット及び音声パケットを取り込み、この映像パケット及び音声パケットをそれぞれその符号化方式に対応するデコーダにより復号する処理が行われる。そして、この復号処理により再生された映像データはユーザインタフェースユニット７に供給され、ここでＬＣＤ表示器に表示される。また上記復号処理により再生された音声データは、ユーザインタフェースユニット７のスピーカから拡声出力される。
【００３０】
さて、この状態で制御ユニット８では次のように放送選択制御が行われる。図４はその制御手順及び制御内容を示すフローチャートである。すなわち、制御ユニット８は先ずステップ４ａにより、チューナ２の無線部２１及びＴＳ再生部２２からそれぞれ受信電界強度の検出値及びＢＥＲを取得する。またそれと共に、ステップ４ｂによりＴＳフィルタリング部３からＴＳパケットの受信品質に関する情報を取得する。
【００３１】
次に制御ユニット８は、ステップ４ｃにおいて、現在切替スイッチ部５により選択されている放送サービスが固定向け放送サービスであるか、或いは回動体向け放送サービスであるかを判定する。この判定の結果、いま仮に固定向け放送サービスが選択されていたとすると、制御ユニット８はステップ４ｄに移行してここで選択中の１２セグメント放送の受信品質が第１のしきい値以上か否かを判定する。この判定は、上記取得された受信電界強度の検出値、ＢＥＲ及びＴＳパケットの受信品質をもとに１２セグメント放送の受信品質値を求め、この受信品質値を最低保証品質値に設定された第１のしきい値と比較することによりなされる。この判定の結果、選択中の１２セグメント放送の受信品質が第１のしきい値以上であればステップ４ａに戻る。
【００３２】
これに対し、選択中の１２セグメント放送の受信品質が第１のしきい値に満たなかったとする。この場合制御ユニット８はステップ４ｅに移行し、ここで非選択の１セグメント放送の受信品質が第２のしきい値以上であるか否かを判定する。この第２のしきい値は上記第１のしきい値より低く設定してある。この比較の結果、１セグメント放送の受信品質が第２のしきい値以上であれば、制御ユニット８はステップ４ｆに移行してここでサイマル放送がなされているか否かを次のように判定する。図５はその判定手順を示すフローチャートである。
【００３３】
すなわち、制御ユニット８は先ずステップ５ａにより上記バッファリング部４のバッファ４５，４６からそれぞれ１２セグメント番組情報及び１セグメント番組情報を取得し、この取得された各番組情報から先ず番組の開始時刻をそれぞれ抽出する。この番組開始時刻は、１２セグメント番組情報もまた１セグメント番組情報も例えば図７中のＥ３に示すように送信運用規則中に「start time」として記述されている。制御ユニット８は、この抽出された「start time」同士をステップ５ｂで比較し、等しければ次にステップ５ｃに移行する。
【００３４】
ステップ５ｃでは、上記各番組情報から番組長がそれぞれ抽出される。この番組長は、例えば図７中のＥ４に示すように送信運用規則中に「duration」として記述されている。制御ユニット８は、この抽出された「duration」同士をステップ５ｃで比較し、等しければ続いてステップ５ｄに移行する。
【００３５】
ステップ５ｄでは、上記各番組情報から番組名がそれぞれ抽出される。この番組名は、例えば図６中のＥ１に示すように送信運用規則中に「event name char」として記述されている。なお、番組名の代わりに図７に示す送信運用規則中の「event id」を抽出してもよい。制御ユニット８は、この抽出された「event name char」同士をステップ５ｄで比較し、一致するとサイマル放送が行われていると判断する。一方、上記ステップ５ｂ、ステップ５ｃ及びステップ５ｄにおいて、「start time」、「duration」又は「event name char」のいずれか一つが一致しなかった場合には、サイマル放送波行われていないと判断される。
【００３６】
すなわち、上記サイマル放送の有無の判定処理においては、「start time」、「duration」及び「event name char」のすべてが一致した場合にサイマル放送が行われていると判断される。ただし、１セグメント番組情報は元々伝送可能な情報量が少ないため、番組名の一部が省略されることがある。そこで、「event name char」の比較処理においては完全一致を求めず、部分一致により「event name char」の一致と判断する。
【００３７】
例えば、いま１２セグメント放送の番組の「start time」が１９：００、「duration」が０：３０、「event name char」が「驚き桃の木  〜大江戸の時代それが始まった〜」であり、一方１セグメント放送の番組の「start time」が１９：００、「duration」が０：３０、「event name char」が「驚き桃の木」だったとする。この場合、「start time」及び「duration」は一致するが、「event name char」は完全には一致しない。しかし、この場合「event name char」の主タイトルは一致しているので、サブタイトルが一致していなくても、「event name char」は一致と判定し、したがってサイマル放送が行われていると判断する。
【００３８】
サイマル放送が行われていると判定すると制御ユニット８は、ステップ４ｇからステップ４ｈに移行し、ここで「移動体向け同一番組放送中」なるメッセージを生成して、このメッセージを映像に重畳することによりＬＣＤ表示器に表示する。この表示結果の一例を図１０に示す。
【００３９】
上記メッセージの表示を開始すると制御ユニット８は、ステップ４ｉで一定時間の経過を監視しながらステップ４ｊにより切り替え操作を監視する。この状態で視聴者が、例えば図１２に示す１セグメント／１２セグメントの切替キーＫＥＹ１を押下すると、ステップ４ｋに移行してここで切替スイッチ部５を制御することにより１２セグメント放送から１セグメント放送へ切り替える。したがって、以後ユーザインタフェースユニット７では、１セグメント放送の映像及び音声が表示及び出力される。なお、上記１セグメント／１２セグメントの切替キーＫＥＹ１が押下されないままメッセージ表示時点から一定時間が経過すると、上記メッセージの表示は終了する。
【００４０】
なお、１２セグメント放送の受信品質が第１のしきい値以上を維持している場合にはそのまま１２セグメント放送の選択再生を継続し、また１２セグメント放送の受信品質が第１のしきい値未満に劣化していても１セグメント放送の受信品質が第２のしきい値に満たない場合やサイマル放送が行われていない場合には、１セグメント放送への切り替えを諦めて１２セグメント放送の選択再生を継続する。
【００４１】
一方、上記１セグメント放送に切り替わると、制御ユニット８はステップ４ｍにおいて１２セグメント放送の受信品質が第１のしきい値以上に復旧したか否かを監視する。そして、１２セグメント放送の受信品質が第１のしきい値以上に復旧すると、制御ユニット８はステップ４ｎによりサイマル放送がなされているか否かを判定する。この判定の手順及び内容は図５において述べた通りである。
【００４２】
上記判定の結果、サイマル放送が行われている場合には、制御ユニット８はステップ４ｏからステップ４ｐに移行し、ここで「固定向け同一番組放送中」なるメッセージを生成して、このメッセージを映像に重畳してＬＣＤ表示器に表示する。図１１にその表示結果の一例を示す。
【００４３】
上記メッセージの表示を開始すると制御ユニット８は、ステップ４ｑで一定時間の経過を監視しながらステップ４ｒにより切り替え操作を監視する。この状態で視聴者が、例えば図１２に示す１セグメント／１２セグメントの切替キーＫＥＹ１を押下すると、ステップ４ｓに移行してここで切替スイッチ部５を制御し、これにより１セグメント放送から１２セグメント放送へ切り替える。したがって、以後ユーザインタフェースユニット７では、１２セグメント放送の映像及び音声が表示及び出力される。なお、上記１セグメント／１２セグメントの切替キーＫＥＹ１が押下されないままメッセージ表示時点から一定時間が経過すると、上記メッセージの表示は終了する。
【００４４】
なお、１２セグメント放送の受信品質が第１のしきい値以上に復旧しない場合や、復旧してもサイマル放送が行われていない場合には、１２セグメント放送への切り替えを諦めて１セグメント放送の選択再生を継続する。
【００４５】
以上述べたようにこの実施形態では、１２セグメント放送を選択再生している状態で、その受信品質が第１のしきい値未満に低下した場合に、１セグメント放送の受信品質が第２のしきい値以上を維持し、かつサイマル放送が行われていることを条件に、１セグメント放送への切り替えが可能である旨のメッセージを表示している。そして、一定時間内に視聴者が切り替え操作を行うと、１２セグメント放送から１セグメント放送へ切り替えるようにしている。したがって、例えば車両の移動により無線環境が劣化した場合でも、視聴者は１セグメントの移動体向け放送への切り替えにより引き続き同一番組を視聴することが可能となる。
【００４６】
しかも、サイマル放送が行われているか否かを判定する際に、１２セグメント番組情報及び１セグメント番組情報から「start time」、「duration」及び「event name char」をそれぞれ抽出し、これらのすべてが一致した場合にサイマル放送が行われていると判断するようにしている。このため、常に正確な判定を行うことができる。
【００４７】
また、１セグメント番組情報は元々伝送可能な情報量が少ないために番組名の一部が省略されることがある点を考慮し、「event name char」の比較処理においては完全一致を求めずに、部分一致により「event name char」の一致と判断するようにしている。このため、実情にあった適切な判定を行うことができる。
【００４８】
なお、この発明は上記実施形態に限定されるものではない。例えば、前記実施形態では１２セグメント放送から１セグメント放送への切り替え、又は１セグメント放送から１２セグメント放送への切り替えが可能と判定された場合に、その旨のメッセージを表示し、この状態で視聴者が切り替えキーＫＥＹ１を押下した場合に上記切替動作が行われるようにした。すなわち、視聴者の手操作により放送の切り替えが行われるようにした。しかし、これに限定されるものではなく、上記切り替えが可能と判定された場合に放送が自動的に切り替わるように構成してもよい。このようにすると、視聴者は自身で切替操作を行うことなく、１２セグメントによる固定向け放送と１セグメントによる移動体向け放送のうち、受信品質が良好な放送を常に視聴することが可能となる。
【００４９】
また、手操作による切り替えモードと自動切り替えモードとを、視聴者が事前に選択設定できるようにしてもよい。これは、例えば図８に示すような切替モード選択設定画面をＬＣＤ表示器に表示し、この画面において希望するメニューを視聴者がカーソルキーと決定キーの操作により選択し設定することにより実現できる。
【００５０】
さらに、サイマル放送の判定に際し、判定条件を視聴者が事前に選択設定できるようにしてもよい。これは、例えば図９に示すようなサイマル放送の判定条件設定画面をＬＣＤ表示器に表示し、この画面において希望する条件を視聴者がカーソルキーと決定キーの操作により選択し設定することにより実現できる。
【００５１】
さらに、前記実施形態では１２セグメントの固定向け放送を優先とし、この１２セグメントの固定向け放送の受信品質が劣化した場合に１セグメントの移動体向け放送に切り替えるようにした。しかし、反対に１セグメントの移動体向け放送を優先とし、この１セグメントの移動体向け放送の受信品質が劣化した場合に１２セグメントの固定向け放送に切り替えるようにしてもよい。
【００５２】
さらに、前記実施形態では１２セグメント放送の受信品質を判定するしきい値として１個のしきい値を設定した場合について述べた。しかし、これに限定されるものではなく、第１のレベルとこの第１のレベルよりも高い第２のレベルをしきい値として設定する。そして、受信品質が第１のレベル未満に低下した場合に１セグメント放送への切り替えを可能にし、一方受信品質が第２のレベル以上に復旧した場合に１セグメント放送から１２セグメント放送への切り替えを可能にするように構成してもよい。このようにすると切り替えにヒステリシス特性を持たせることができ、これにより切替動作が頻繁に行われないようにして放送受信動作の安定性を高めることができる。
【００５３】
さらに、番組リストの一覧を表示する機能を備える場合に、当該表示画面にサイマル放送の有無を示す情報を併せて表示するようにしてもよい。図１３はその表示結果の一例を示すものである。このようにすると、視聴者は事前にサイマル放送が行われている番組を確認した上で、視聴する番組を選択することが可能となる。
【００５４】
さらに、前記実施形態では第１の放送としての固定向け放送と第２の放送としての移動体向け放送とを受信品質に応じて切り替える場合を例にとって述べた。しかし、それに限らず、例えば以前に取得した番組情報を記憶しておき（第１の番組情報）、移動体等により地域を移動した結果第１の放送を受信できなくなった場合、つまり第１の放送の受信品質が最低になった場合に、移動先で取得した番組情報（第２の番組情報）と記憶してある第１の番組情報とを比較して同一番組かどうか判別する。そして、この判定結果、同一番組であれば、上記新たに受信された第２の放送を選択的に受信するようにしてもよい。このようにすると、異なる放送局から同一番組を探して視聴することが可能となり、これにより例えば視聴予約機能により予約しておいた番組を、移動先の異なる地域においても引き続き視聴することが可能となる。
【００５５】
その他、ディジタル放送受信機の構成や放送の切替制御手順と制御内容、受信品質の判定アルゴリズム、サイマル放送の判定方法などについても、この発明の要旨を一脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００５６】
【図１】この発明に係わるディジタル放送受信機の一実施形態を示す概略構成図。
【図２】図１に示したディジタル放送受信機におけるチューナからＴＳフィルタリング部に入力されるＴＳ情報の構成の一例を示す図。
【図３】図１に示したディジタル放送受信機におけるＴＳフィルタリング部の処理手順を示すフローチャート。
【図４】図１に示したディジタル放送受信機における制御ユニットの放送選択制御手順と制御内容を示すフローチャート。
【図５】図４に示した放送選択制御手順におけるサイマル放送判定処理手順を示すフローチャート。
【図６】サイマル放送の判定処理に使用する番組情報の構成の一例を示す図。
【図７】サイマル放送の判定処理に使用する番組情報の構成の一例を示す図。
【図８】切替モード選択設定画面の一例を示す図。
【図９】サイマル放送の判定条件設定画面の一例を示す図。
【図１０】１２セグメント放送を選択再生している状態で表示される１セグメント放送への切り替えが可能であることを示すメッセージの例を示す図。
【図１１】１セグメント放送を選択再生している状態で表示される１２セグメント放送への切り替えが可能であることを示すメッセージの例を示す図。
【図１２】１セグメント／１２セグメント切替キーの一例を示す図。
【図１３】番組リストの一覧表示画面にサイマル放送の有無を示す情報を表示する場合の表示例を示す図。
【符号の説明】
【００５７】
１…アンテナ、２…チューナ、２１…無線部、２２…ＴＳ再生部、３…ＴＳフィルタリング部、４…バッファリング部、４１〜４６…バッファ、５…切替スイッチ部、６…メディア復号ユニット、７…ユーザインタフェースユニット、８…制御ユニット、８１…受信品質判定部、８２…サイマル放送判定部、８３…セグメント選択制御部。
【図１】
2007096508.tif 000003
【図２】
2007096508.tif 000004
【図３】
2007096508.tif 000005
【図４】
2007096508.tif 000006
【図５】
2007096508.tif 000007
【図６】
2007096508.tif 000008
【図７】
2007096508.tif 000009
【図８】
2007096508.tif 000010
【図９】
2007096508.tif 000011
【図１０】
2007096508.tif 000012
【図１１】
2007096508.tif 000013
【図１２】
2007096508.tif 000014
【図１３】
2007096508.tif 000015